(57)【要約】【課題】電球のガラス球を安定よく確実に把持し乃至は容易に着脱可能なチャック具を備える。【解決手段】縦長な下向きコ字状のアーム部２０と、アーム部２０を保持する基枠部２１とからなる少なくとも三つのチャックアーム２ａ，２ｂ，２ｃを備え、基枠部２１を取手棒１の先端寄り側面に設けたブラケット部３０に軸承枢着すると共に、基枠部２１の側部間に掛け渡す引張りバネ２２ａ，２２ｂ，２２ｃにより基枠部相互を引張支持し、アーム部２０の先端側をガラス球の取囲み方向に向けて各チャックアーム２ａ，２ｂ，２ｃを取手棒１の先端寄り側面回りで定間隔毎に組み付けたチャック具２を備える。【選択図】図１
2008198549.tif 000002
【特許請求の範囲】
【請求項１】
電球のガラス球を把持するチャック具を口金のねじ込み乃至はねじ戻しにあたって軸回し操作する取手棒の先端側に備える電球の着脱交換器具であって、
先端側をガラス球の球面に相応する円弧状に湾曲させた縦長な下向きコ字状を呈するアーム部と、アーム部を軸端側で保持する横向きコ字状の基枠部とからなるチャックアームを少なくとも三つ備え、
基枠部のコの字内に嵌り合うブラケット部を取手棒の先端寄り側面に設け、基枠部を支軸でブラケット部に軸承枢着すると共に、基枠部の枢軸位置上方で隣り合う側部間に掛け渡す引張りバネにより基枠部相互を引張支持し、アーム部の先端側をガラス球の取囲み方向に向けて各チャックアームを取手棒の先端寄り側面回りで定間隔毎に組み付けたチャック具を備えてなることを特徴とする電球の着脱交換器具。
【請求項２】
円筒状のホルダーを取手棒の先端側に嵌合せ固定し、各チャックアームをホルダーの先端寄り側面回りで定間隔毎に組み付けると共に、ガラス球の頂面を受け止める滑止め用のリングパッドをホルダーの筒端側に配設してなることを特徴とする請求項１に記載の電球の着脱交換器具。
【請求項３】
アーム部の先端側が大径のガラス球の口金寄り球面位置まで亘る縦長のチャックアームをホルダーの先端寄り側面回りで定間隔毎に組み付けると共に、円筒状のスライド筒をホルダーの筒内より上方に伸出し可能に備え、ガラス球の頂面を受け止める滑止め用のリングパッドをガラス球の大小径に応じて高さ調整可能にスライド筒の筒端側に取り付けてなることを特徴とする請求項２に記載の電球の着脱交換器具。
【請求項４】
円筒状のスライド筒を伸長バネでホルダーの筒内より上方に伸出し可能に備え、スライド筒の伸出し長さを設定する締付けボルトをホルダーの側面よりスライド筒の側面に向けてねじ込み乃至はねじ戻し可能に備え、ガラス球の頂面を受け止める滑止め用のリングパッドをガラス球の大小径に応じて高さ調整可能なスライド筒の筒端側に取り付けてなることを特徴とする請求項３に記載の電球の着脱交換器具。
【発明の詳細な説明】
【技術分野】
【０００１】
本発明は、天井等の比較的高所に備え付けられる電球を着脱交換するに用いられる電球の着脱交換器具に関するものである。
【背景技術】
【０００２】
電球の着脱交換器具としては、ガラス球の縦曲線に相応する曲面形状を有するはさみ板を四本備え、各はさみ板の基端側を台座に支軸ピンで軸承枢着させて各はさみ板を台座の略９０°間隔毎に四方から立て付けると共に、引張りバネを隣り合うはさみ板の先端寄り間に掛け渡し、各はさみ板を引張りバネで拡開乃至は近接変位させることから、電球をはさみ板で把持し乃至は外出し可能なチャック具を備えたものが知られている（特許文献１）。
【０００３】
そのチャック具では、はさみ板がガラス球の側面と接する面の薄い板状のものでなり、引張りバネがはさみ板の先端寄り間で四辺を呈するよう掛け渡されているため、既設の電球を取り外すべく、ガラス球を各はさみ板の相対間に受け入れるに、引張りバネがガラス球と摺接しながら伸びるようになることからガラス球を容易に受け入れづらい。
【０００４】
それに加えて、引張りバネがはさみ板の先端寄り間でガラス球よりも相対的に径の小さい口金側に位置するため、径の大きなガラス球を受け入れる際に、各引張りバネを長く均等に引き伸ばすことが必要となる。また、電球の取替え装着後に、チャック具をガラス球より取り外すにも引張りバネの同様な引き伸ばしが必要となる。
【特許文献１】特開平７−６７４１
【発明の開示】
【発明が解決しようとする課題】
【０００５】
本発明は、電球のガラス球を安定よく確実に把持し乃至は容易に着脱可能なチャック具を備える電球の着脱交換器具を構成することを課題とする。
【０００６】
それに加えて、ガラス球の径が大小異なる数種の電球を安定よく確実に把持し乃至は容易に着脱可能なチャック具を備える電球の着脱交換器具を構成することを課題とする。
【課題を解決するための手段】
【０００７】
本願の請求項１は、先端側をガラス球の球面に相応する円弧状に湾曲させた縦長な下向きコ字状を呈するアーム部と、アーム部を軸端側で保持する横向きコ字状の基枠部とからなるチャックアームを少なくとも三つ備え、
基枠部のコの字内に嵌り合うブラケット部を取手棒の先端寄り側面に設け、基枠部を支軸でブラケット部に軸承枢着すると共に、基枠部の枢軸位置上方で隣り合う側部間に掛け渡す引張りバネにより基枠部相互を引張支持し、アーム部の先端側をガラス球の取囲み方向に向けて各チャックアームを取手棒の先端寄り側面回りで定間隔毎に組み付けたチャック具を備えてなることを特徴とする。
【０００８】
本願の請求項２は、円筒状のホルダーを取手棒の先端側に嵌合せ固定し、各チャックアームをホルダーの先端寄り側面回りで定間隔毎に組み付けると共に、ガラス球の頂面を受け止める滑止め用のリングパッドをホルダーの筒端側に配設してなることを特徴とする。
【０００９】
本願の請求項３は、アーム部の先端側が大径のガラス球の口金寄り球面位置まで亘る縦長のチャックアームをホルダーの先端寄り側面回りで定間隔毎に組み付けると共に、円筒状のスライド筒をホルダーの筒内より上方に伸出し可能に備え、ガラス球の頂面を受け止める滑止め用のリングパッドをガラス球の大小径に応じて高さ調整可能にスライド筒の筒端側に取り付けてなることを特徴とする。
【００１０】
本願の請求項４は、円筒状のスライド筒を伸長バネでホルダーの筒内より上方に伸出し可能に備え、スライド筒の伸出し長さを設定する締付けボルトをホルダーの側面よりスライド筒の側面に向けてねじ込み乃至はねじ戻し可能に備え、ガラス球の頂面を受け止める滑止め用のリングパッドをガラス球の大小径に応じて高さ調整可能なスライド筒の筒端側に取り付けてなることを特徴とする。
【発明の効果】
【００１１】
本願の請求項１に係る電球交換器具によれば、先端側をガラス球の球面に相応する円弧状に湾曲させた縦長な下向きコ字状を呈するチャックアームのアーム部により、ガラス球の周回りを少ない接触面で広範に亘って安定よく把持できる。また、チャックアームを拡開乃至は近接変位する引張りバネを基枠部の枢軸位置上方で隣り合う側部間に掛け渡すことから、引張りバネがガラス球の取囲み方向に向くアーム先端の邪魔とならず、高所の電球でもチャック具で安定よく確実に把持し乃至は容易に取り付けまたは外し出せる。
【００１２】
本願の請求項２に係る電球交換器具によれば、円筒状のホルダーを取手棒の先端側に嵌合せ固定し、各チャックアームをホルダーの先端寄り側面回りで定間隔毎に組み付けることから、チャックアームをガラス球の周回りに配置できると共に、ガラス球の頂面を受け止める滑止め用のリングパッドをホルダーの筒端側に配設するため、口金のねじ込み或いはねじ戻しを取手棒の軸回し操作で行うにあたり、ガラス球をリングパッドで滑り止めてチャック具で安定よく確実に把持し乃至は容易に取り付けまたは外し出せる。
【００１３】
本願の請求項３に係る電球交換器具によれば、アーム部の先端側が大径のガラス球の口金寄り球面位置まで亘る縦長のチャックアームをホルダーの先端寄り側面回りで定間隔毎に組み付けると共に、円筒状のスライド筒をホルダーの筒内より上方に伸出し可能に備え、ガラス球の頂面を受け止める滑止め用のリングパッドをガラス球の大小に応じて高さ調整可能にスライド筒の筒端側に取り付けるため、電球の大小径の異なるガラス球でもチャック具で安定よく確実に把持し乃至は容易に取り付けまたは外し出せる。
【００１４】
本願の請求項４に係る電球交換器具によれば、円筒状のスライド筒を伸長バネでホルダーの筒内より上方に伸出し可能に備え、スライド筒の伸出し長さを設定する締付けボルトをホルダーの側面よりスライド筒の側面に向けてねじ込み乃至はねじ戻し可能に備えるため、電球の大小径の異なるガラス球に合わせてリングパッドの高さを容易に調整できる。
【発明を実施するための最良の形態】
【００１５】
図示の電球交換器具は、比較的高所に備え付けられる電球を着脱交換するものとして構成されている。また、ガラス球の径が大小異なる数種の電球でも取り付けまたは外し出せるよう構成されている。
【００１６】
この電球の着脱交換器具は、図１で示すように作業者（図示せず）が手で持って口金のねじ込み乃至はねじ戻しを行うに軸回し操作する取手棒１と、ガラス球を把持するチャック具２とを備えて構成されている。取手棒１は丸パイプ部材でなり、一本の長尺棒または伸縮可能な複数本の繋ぎ棒として備え付けられる。取手棒１は円筒状のホルダー３を先端側に嵌着させて備え、チャック具２はホルダー３をベースに組み立てられている。
【００１７】
チャック具２は、三つのチャックアーム２ａ，２ｂ，２ｃから組み立てられている。各チャックアーム２ａ，２ｂ，２ｃは同じ形状，構造を有するものでなり、一つのチャックアーム２ａに符号を付すと、アーム部２０と基枠部２１とから組み立てられている。
【００１８】
アーム部２０は、先端側の横軸部分２０ａと横軸部分２０ａの両軸端より同方向直角に折れ曲がる左右の縦軸部分２０ｂ，２０ｃとを金属線材から折り曲げて形成されている。また、横軸部分２０ａを含む縦軸部分２０ｂ，２０ｃの先端側をガラス球の球面に相応する円弧状に湾曲させた縦長な下向きコ字状を呈するよう形成されている。
【００１９】
基枠部２１は、図２で示すようにアーム部２０を軸端側で挟み込んでリベット（図１参照）止めした内外の保持板２１ａ，２１ｂと、保持板２１ａ，２１ｂの下部側に連続させて横向きコ字状に折れ曲がる枠基板２１ｃと、保持板２１ａ，２１ｂの下部側より枠基板２１ｃの上部側に外側よりあてがってビス止めした補強板２１ｄとの各板部を備えて金属板材から形成されている。
【００２０】
ホルダー３の先端寄り側面回りには、三つのブラケット部３０（図２参照）が定間隔毎に取り付けられている。各ブラケット部３０には、基枠部２１の枠基板２１ｃが支軸ピン２１ｅ（図１参照）で軸承枢着されている。ブラケット部３０は、枠基板２１ｃのコの字内に嵌り合い可能な相対形のコの字状のものでホルダー３の側面に圧入ピン３１（図２参照）であてがい固定されている。
【００２１】
基枠部２１は、図３で示すような引張りコイルバネ２２ａ，２２ｂ，２２ｃで相互に引張支持されている。各引張りコイルバネ２２ａ，２２ｂ，２２ｃは、支ピン２１ｅによる枢軸位置の上方で隣り合う保持板２１ａ，２１ｂの側部間（図１参照）に掛渡し装着されている。その他に、チャックアーム２ａ，２ｂ，２ｃの立付け姿勢を直立向きに保てるよう基枠部２１を受け止めるストッパリング３２がホルダー３の周回りに嵌着固定されている。
【００２２】
上述したアーム部２０，基枠部２１の他に、引張りコイルバネ２２ａ，２２ｂ，２２ｃを含み、チャックアーム２ａ，２ｂ，２ｃはアーム部２０の湾曲した先端側をガラス球の取囲み方向に向けてホルダー３の先端寄り側面回りで定間隔毎に組み付けられている。また、支ピン２１ｅによる枢軸位置を基点に、アーム部２０の先端側が大径のガラス球の口金寄り球面位置まで至る縦長なものに長さ設定されている。
【００２３】
上述した各部に加えて、ガラス球の頂面を受け止める滑止め用のリングパッド４がホルダー３の筒端側に配設されている。このリングパッド４（図２参照）は、弾性リング４０を受け筒４１の端面に取り付けたものでなる。また、円筒状のスライド筒４２をホルダー３の筒内より上方に伸出し可能に備え、ガラス球の大小径に応じて高さ調整可能にスライド筒４２の筒端側に取り付けられている。受け筒４１は、ホルダー３と同径のものでスライド筒４２の外側に嵌込み固定されている。
【００２４】
スライド筒４２は、ホルダー３の筒内より上方に伸出し可能に付勢支持する伸長コイルバネ４３と、ホルダー３の側面よりスライド筒４２の側面にねじ込み乃至はねじ戻し可能な締付けボルト４４とを備えて組み付けられている。伸長コイルバネ４３は、スライド筒４２の径内に嵌込み固定する受け座４５の支柱軸４６に嵌装させてホルダー３の径内に嵌込み固定する止め座４７との間で圧縮保持されている。その他に、締付けボルト４４の軸端を受け入れる凹溝４８がスライド筒４２の側面に設けられている。
【００２５】
このように構成する電球の着脱交換器具では、既設電球の取り外しにあたり、作業者が取手棒１を手で持ってチャック具２を通常状態（図１参照）のままでガラス球Ｌ１の直下まで持ち運び、チャックアーム２ａ，２ｂ，２ｃの先端側をガラス球Ｌ１の球面にあてがってチャック具２を取手棒１で突き上げるよう操作する。
【００２６】
チャック具２の突上げ操作により、各チャックアーム２ａ，２ｂ，２ｃは、図４で示すように引張りコイルバネ２２ａ，２２ｂ，２２ｃを引き伸ばしつつ支軸ピン２１ｅを支点にアーム部２０の先端側よりガラス球Ｌ１の球面に沿って拡開し、ガラス球Ｌ１をアーム部２０の内側に滑り込ませて受け入れる。このガラス球Ｌ１の受入れと共に、リングパッド４をガラス球Ｌ１の頂面に合わせてあてがえばよい。
【００２７】
ガラス球Ｌ１の受入れ時には、引張りコイルバネ２２ａ，２２ｂ，２２ｃが各チャックアーム２ａ，２ｂ，２ｃの下部寄りで基枠部２１の間に掛け渡されているため、各チャックアーム２ａ，２ｂ，２ｃはアーム部２０の先端側より容易に大きく拡開させるようにできる。また、アーム部２０が先端側をガラス球Ｌ１の球面に相応する円弧状に湾曲させた縦長な下向きコ字状を呈することから、ガラス球Ｌ１の周回りを少ない接触面で広範に亘って安定よく挟み込める。
【００２８】
ガラス球Ｌ１の受入れ後は、図５で示すように各チャックアーム２ａ，２ｂ，２ｃが引張りコイルバネ２２ａ，２２ｂ，２２ｃで近接変位し、アーム部２０の先端側がガラス球Ｌ１の口金Ｌ２に近い球面にまで亘ってガラス球Ｌ１を安定よく確実に挟み込める。
【００２９】
チャック具２によるガラス球Ｌ１の把持状態から、作業員が取手棒１を逆ねじ方向に軸回し操作すると、ガラス球Ｌ１が各チャックアーム２ａ，２ｂ，２ｃで確実に挟み込まれてリングパッド４で滑り止めされているところから、口金Ｌ２をソケットより容易にねじ戻せて電球全体を取り外せる。この後は、電球をチャック具２で保持したままに取手棒１を引き下げて電球を手元まで持ち運ぶことからチャック具２より取り外せばよい。
【００３０】
新規電球の取付けにあたっては、上述したと逆に、新規電球のガラス球をチャック具２で把持させて取手棒１で天井のソケット位置まで持ち運び、口金をソケットに合わせて取手棒１でねじ込み操作すればよい。このねじ込み操作時には、ガラス球Ｌ１が各チャックアーム２ａ，２ｂ，２ｃで安定よく確実に挟み込まれていると共に、リングパッド４で滑り止めされているところから容易にねじ込み装着できる。
【００３１】
新規電球の取付け後は取手棒１を引き下げると、各チャックアーム２ａ，２ｂ，２ｃが既設電球の取外し時と同様に、引張りコイルバネ２２ａ，２２ｂ，２２ｃを引き伸ばしつつ支軸ピン２１ｅを支点にアーム部２０の先端側よりガラス球Ｌ１の球面に沿って拡開するため、チャック具２をガラス球Ｌ１より容易に外し取れる。
【００３２】
ガラス球の小径な電球を交換するにあたっては、図６で示すように新規電球のガラス球ｌ１をチャック具２に把持させて締付けボルト４４を弛めると、スライド筒４２がリングパッド４を当該ガラス球ｌ１の頂面にあてがうまで伸長コイルバネ４３でホルダー３の筒内より上方に伸び出す。このスライド筒４２の伸び出し後に、締付けボルト４４をねじ込んでリングパッド４を径の小さなガラス球に応じて高さ設定する。
【００３３】
そのチャック具２の初期設定から新規電球をチャック具２より一旦取り外し、チャック具２を取手棒で既設電球の直課まで持ち運ぶことから、上述したと同じく新旧電球の着脱交換を行うようにできる。
【００３４】
上述した実施の形態は、ガラス球の径が大小異なる数種の電球でも対応可能に構成したが、チャックアームを所定径のガラス球に合わせ、リングパットを省略することから特定電球の専用型としても構成できる。チャックアームは三つ備える場合で説明したが、四つ備えるようにしてもよい。
【図面の簡単な説明】
【００３５】
【図１】本発明に係る電球の着脱交換器具を示す側面図である。
【図２】図１の器具を示す断面図である。
【図３】図１の器具を示す平面図である。
【図４】図１の器具による電球の取外し初期手順を示す説明図である。
【図５】図５の初期手順に引き続く電球の取外し手順を示す説明図である。
【図６】図１の器具によるガラス球の小径な電球の取外し初期手順を示す説明図である。
【符号の説明】
【００３６】
Ｌ１，ｌ１      ガラス球
Ｌ１，ｌ１      口金
１            取手棒
２            チャック具
２ａ，２ｂ，２ｃ    チャックアーム
２０          アーム部
２１          基枠部
２２ａ，２２ｂ，２２ｃ    引張りバネ
３            ホルダー
３０          ブラケット部
４            リングパッド
４２          スライド筒
４３          伸長バネ
４４          締付けボルト
【図１】
2008198549.tif 000003
【図２】
2008198549.tif 000004
【図３】
2008198549.tif 000005
【図４】
2008198549.tif 000006
【図５】
2008198549.tif 000007
【図６】
2008198549.tif 000008